(57)【特許請求の範囲】
【請求項１】
互いに係止されるように構成された第１要素（８ａ）と第２要素（８ｂ）とを備えた家具パネルであって、前記第１要素と前記第２要素とが互いに係止されているとき、前記第１要素の第１主面は、前記第２要素の第２主面に対して実質的に平行であり、前記家具パネルは、前記第１要素と前記第２要素とが互いに係止されているとき、前記家具パネルの主面に対して平行である第１面（８５）と反対側の第２面（８６）とを備え、前記第１要素と前記第２要素は機械的係止システムを有していることを特徴とし、この機械的係止システムは、
前記第１要素（８ａ）の第１縁部に設けられた第１凸部（６０）であって、前記第１要素と前記第２要素とを前記家具パネルの前記第１主面および前記第２主面に直交する第１鉛直方向（Ｖ１）において係止するために前記第２要素（８ｂ）の第２縁部に設けられた第１凸部溝（５０）と協働するように構成されており、前記第１凸部（６０）と前記第１凸部溝（５０）は第３の一対の係止面（８７）において協働し、この第３の一対の係止面（８７）は略水平方向に延び、第３の一対の係止面（８７）は第１凸部（６０）と、対向する第２面（８６）との間にある、第１凸部と、
前記第２要素（８ｂ）の第２縁部に設けられた第２凸部（７２）であって、前記第１要素と前記第２要素とを前記家具パネルの前記第１主面および前記第２主面に直交する第２鉛直方向（Ｖ２）において係止するために、前記第１要素（８ａ）の前記第１縁部に設けられた第２凸部溝（７３）と協働するように構成されており、前記第２凸部（７２）と前記第２凸部溝（７３）は第４の一対の係止面（７４）において協働し、この第４の一対の係止面（７４）は家具パネルの主平面（Ｍ）に対して所定角度（８８）だけ傾斜し、この所定角度（８８）は０°以上であり、第４の一対の係止面（７４）は第２凸部（７２）と第１面（８５）の間にある、第２凸部と、
前記第１要素（８ａ）と前記第２要素（８ｂ）とを前記家具パネルの前記主面に平行な第１水平方向（Ｈ１）において係止するために、前記第２凸部と前記第２凸部溝の上方に設けられている、第１の一対の係止表面（８３）と、
前記第１要素（８ａ）と前記第２要素（８ｂ）とを前記家具パネルの前記主面に平行な第２水平方向（Ｈ２）において係止するために、前記第１凸部と前記第１凸部溝の下方に設けられた第２の一対の係止表面（８４）であって、前記第１の一対の係止表面（８３）から水平方向にずれている、第２の一対の係止表面（８４）と、を備え、
前記第２要素（８ｂ）の前記第２縁部は前記第１要素（８ａ）の前記第１縁部に設けられた第３の溝（８０）と係合する突出要素（７１）を有し、前記第１要素（８ａ）と前記第２要素（８ｂ）が互いに係止されるとき、第１水平方向（Ｈ１）および第２水平方向（Ｈ２）に延びる第３スペース（７５）が突出要素（７１）と第３の溝（８０）との間に形成され、前記第２水平方向（Ｈ２）は前記第１水平方向（Ｈ１）と反対方向を向く、家具パネル。
【請求項２】
前記第１の一対の係止表面（８３）は実質的に鉛直である、
請求項１に記載の家具パネル。
【請求項３】
前記第２の一対の係止表面（８４）は実質的に鉛直である、
請求項１又は２に記載の家具パネル。
【請求項４】
前記所定角度（８８）は、前記第２要素に対する前記第１要素の角度を成す移動、又は前記第１要素に対する前記第２要素の角度を成す移動により、前記第１要素が前記第２要素に対して係止されるように構成され、また、前記第１凸部（６０）が前記第１凸部溝（５０）に挿入される、
請求項１に記載の家具パネル。
【請求項５】
前記所定角度（８８）は、約３０°乃至約６０°の範囲、好適には４５°である、
請求項１に記載の家具パネル。
【請求項６】
前記第１要素と前記第２要素とが係止された状態において、前記第１凸部溝において前記第１凸部（６０）の上方に第１スペースが設けられる、
請求項１乃至５のいずれか一項に記載の家具パネル。
【請求項７】
前記第１要素と前記第２要素とが係止された状態において、前記第２凸部溝において前記第２凸部（７２）の下方に第２スペースが設けられる、
請求項１乃至６のいずれか一項に記載の家具パネル。
【請求項８】
前記第１要素及び前記第２要素のコア材料は、ＨＤＦ、ＭＤＦ、合板、中実の木質又はパーチクルボード、プラスチックボード、木質繊維複合ボードのうちの少なくとも１つである木質繊維をベースとしたボードを備えている、
請求項１乃至７のいずれか一項に記載の家具パネル。
【請求項９】
前記第２要素は、突出要素（７１）と前記第１凸部溝（５０）との間に延在するストリップ（７０）を有し、前記ストリップは、前記突出要素に隣接する凹部（９０）を有している、
請求項１乃至８のいずれか一項に記載の家具パネル。
【請求項１０】
前記第１要素と前記第２要素とが互いに係止されているとき、間隙（９２）が前記第１の一対の係止表面の下方であって前記第２凸部の上方に設けられる、
請求項１乃至９のいずれか一項に記載の家具パネル。
【請求項１１】
前記第１要素と前記第２要素とが互いに係止されているとき、間隙（９４）が前記第１凸部の下方であって前記第２の一対の係止表面の上方に設けられる、
請求項１乃至１０のいずれか一項に記載の家具パネル。
【発明の詳細な説明】
【技術分野】
【０００１】
本発明は、第１要素と第２要素とを備えた後部パネル又は底部パネル等の家具パネルに関する。また、本発明は、家具パネルを備えた本棚、食器棚、衣装戸棚、箱、引き出し又は家具部品等の組立製品に関する。
【背景技術】
【０００２】
第１要素と第２要素とを備えた後部パネル又は底部パネル等の家具パネルが公知である。第１要素及び第２要素を組立部品のフレームに釘着することにより、公知の家具パネルの第１要素及び第２要素は固定され得る。
【発明の概要】
【０００３】
本発明のいくつかの実施形態の１つの目的は、上述の技術及び公知技術に対する改良を提供することである。具体的な目的は、第１要素と第２要素とを備えた後部パネル又は底部パネル等の家具パネルの強度を向上させることである。他の目的は、いわゆるフラットパック家具の包装サイズを小さくすることである。フラットパック家具の後部パネル又は底部パネルは、他の家具パネルに比較して最大の家具パネルであり得る。したがって、大型のパネルを形成するように互いに機械的に係止され得る２つ以上の別箇の要素に分割された大型の家具パネルは、フラットパック家具の包装サイズを小さくさせ得る。
【０００４】
本発明の更なる目的は、高い強度と安定性を有する組立部品を提供することである。
【０００５】
発明の詳細な説明から明らかとなる少なくともこれらの目的のいくつかと他の目的及び利点が、互いに係止されるように構成された第１要素と第２要素とを備えた家具パネルによって達成された。第１要素と第２要素とが互いに係止されているとき、第１要素の第１主面は、第２要素の第２主面に対して実質的に平行である。家具パネルは、第１要素と第２要素とが互いに係止されているとき、家具パネルの主面に対して平行である第１面と反対側の第２面とを備えている。第１要素と第２要素は機械的係止システムを有し、この機械的係止システムは、
第１要素の第１縁部に設けられた第１凸部であって、第１要素と第２要素とを家具パネルの主面に直交する第１鉛直方向において係止するために、第２要素の第２縁部に設けられた第１凸部溝と協働するように構成されている、第１凸部と、
第２要素の第２縁部に設けられた第２凸部であって、第１要素と第２要素とを家具パネルの主面に直交する第２鉛直方向において係止するために、第１要素の第１縁部に設けられた第２凸部溝と協働するように構成されている、第２凸部と、
第１要素と第２要素とを家具パネルの主面に平行な第１水平方向において係止するために、第２凸部と第２凸部溝の上方に設けられている、第１の一対の係止表面と、
第１要素と第２要素とを家具パネルの主面に平行な第２水平方向において係止するために、第１凸部と第１凸部溝５０の下方に設けられている、第２の一対の係止表面と、
を備えている。
【０００６】
機械的係止システムは、家具パネルの第１面及び第２面において気づかれにくい第１要素と第２要素との間の接合を、家具パネルに、提供し得る。更に、第１凸部と第２凸部と第１凸部溝と第２凸部溝は、第１要素と第２要素との間の接合において実質的に平面的である家具パネルの連結を提供し得る。
【０００７】
第１の一対の係止表面は、好適には実質的に鉛直であり、第２の一対の係止表面も、好適には実質的に鉛直である。
【０００８】
第１凸部と第１凸部溝は、好適には実質的に水平に配設された第３の一対の係止表面において協働し得る。
【０００９】
第２凸部と第２凸部溝は、好適には家具パネルの主面に対してゼロより大きい角度を成して配設された第４の一対の係止表面において協働し得る。この角度は、好適には、第２要素に対する第１要素の角度を成す移動、又は第１要素に対する第２要素の角度を成す移動により、第１要素が第２要素に係止されることを許容し、これにより、第１凸部が第１凸部溝に挿入される。角度は、約３０°乃至約６０°の範囲、好適には４５°である。
【００１０】
第１要素と第２要素とが係止された状態において、第１凸部溝において第１凸部の上方に第１スペースが設けられ得る。第１要素と第２要素とが係止された状態において、第２凸部溝において第２凸部の下方に第２スペースが設けられ得る。
【００１１】
第２要素は、突出要素と第１凸部溝との間に延在するストリップを有し得るとともに、ストリップは、突出要素に隣接した凹部を有し得る。
【００１２】
第１要素と第２要素とが互いに係止されているとき、間隙が第１の一対の係止表面の下方であって第２凸部の上方に設けられ得る。また、第１要素と第２要素とが係止されているとき、間隙が第１凸部の下方であって第２の一対の係止表面の上方に設けられ得る。
【００１３】
第１要素と第２要素のコア材料は、好適には、ＨＤＦ、ＭＤＦ、合板、中実の木質又はパーチクルボード、プラスチックボード、又は木質繊維複合ボード等の木質繊維をベースとしたボードを備えている。
【００１４】
機械的係止システムは、好適には、第１要素の第１縁部及び第２要素の第２縁部を機械的に切断加工することにより、例えばフライス加工することにより作製される。
【００１５】
本発明の第２の態様は、上述の家具パネルを備えた家具部品等の組立製品である。組立製品は、好適には、ツールを用いずに組み立てられるように構成されている。
【００１６】
本発明の実施形態を、添付図面を参照しつつ一例として詳細に説明する。
【図面の簡単な説明】
【００１７】
【図１Ａ】本発明の実施形態による家具パネルを示す図。
【図１Ｂ】本発明の実施形態による家具パネルを示す図。
【図２Ａ】本発明の実施形態によるパネルを備えた家具部品の実施形態を示す図。
【図２Ｂ】本発明の実施形態によるパネルを備えた家具部品の実施形態を示す図。
【発明を実施するための形態】
【００１８】
図１は、後部パネル又は底部パネル等の家具パネル８の実施形態を示す。家具パネル８は、互いに係止されるように構成された第１要素８ａと第２要素８ｂとを備えている。第１要素８ａと第２要素８ｂとが互いに係止されているとき、第１要素の第１主面は、第２要素の第２主面に対して実質的に平行である。家具パネル８は、第１要素８ａと第２要素８ｂとが互いに係止されているとき、家具パネル８の主面Ｍに対して平行である第１面８５と反対側の第２面８６とを備えている。第１要素と第２要素は、機械的係止システムを有している。この機械的係止システムは、
第１要素８ａの第１縁部に設けられた第１凸部６０であって、第１要素８ａと第２要素８ｂとを第１鉛直方向Ｖ１において係止するために、第２要素８ｂの第２縁部に設けられた第１凸部溝５０と協働するように構成されている、第１凸部６０と、
第２要素８ｂの第２縁部に設けられた第２凸部７２であって、第１要素８ａと第２要素８ｂとを第２鉛直方向Ｖ２において係止するために、第１要素８ａの第１縁部に設けられた第２凸部溝７３と協働するように構成されている、第２凸部７２と、
第１要素８ａと第２要素８ｂとを家具パネル８の主面Ｍに平行な第１水平方向Ｈ１において係止するように、第２凸部７２と第２凸部溝７３の上方に設けられている、第１の一対の係止表面８３と、
第１要素８ａと第２要素８ｂとを第２水平方向Ｈ２において係止するために、第１凸部６０と第１凸部溝５０の下方に設けられている、第２の一対の係止表面８４と、
を備えている。
【００１９】
第２水平方向Ｈ２は、第１水平方向１に対向していてもよい。第２鉛直方向Ｖ２は第１鉛直方向Ｖ１に対向していてもよい。
【００２０】
機械的係止システムは、好適には、第１要素８ａの第１縁部及び第２要素８ｂの第２縁部を機械的に切断加工することにより、例えばフライス加工することにより作製される。
【００２１】
第１の一対の係止表面８３は、好適には実質的に鉛直である。第２の一対の係止表面８４も、好適には実質的に鉛直である。
【００２２】
第１凸部６０と第１凸部溝５０は、好適には実質的に水平に配設された第３の一対の係止表面８７において協働する。
【００２３】
第２凸部７２と第２凸部溝７３は、第４の一対の係止表面７４において協働する。第４の一対の係止表面７４は、好適には、家具パネル８の主面Ｍに対して、ゼロより大きい角度８８を成して配設されている。角度８８は、第２要素８ｂに対する第１要素８ａの角度を成す移動、又は第１要素８ａに対する第２要素８ｂの角度を成す移動（角度移動）により、第１要素８ａが第２要素８ｂに対して係止されることを許容する範囲を有しており、また、第１凸部６０が第１凸部溝５０に挿入される。第２要素８ｂに対する第８要素８ａの角度を成す移動の実施形態を図１Ｂに示す。
【００２４】
第１面８５は、鉛直方向において上方に、例えば最大荷重Ｆ１が家具パネル８にかかるであろう方向において配設され、第１要素８ａ及び第２要素８ｂが逆の角度移動によって係止解除されてしまうことを防止している。
【００２５】
第２面８６は、鉛直方向において下方に、例えば最小荷重Ｆ２が家具パネル８にかかるであろう方向において配設されている。第２凸部７２と第２凸部溝７３は、逆の角度移動による第１要素８ａと第２要素８ｂとの係止解除に対する抵抗を提供し得る。
【００２６】
角度８８は、約３０°乃至約６０°の範囲にあり得る。この角度は、好適には約４５°である。
【００２７】
第１要素８ａと第２要素８ｂとが係止された状態において、第１凸部溝５０において第１凸部６０の上方に第１スペースが設けられ得る。第１要素８ａと第２要素８ｂとが係止された状態において、第２凸部溝７３において第２凸部７２の下方に第２スペースが設けられ得る。
【００２８】
第２要素８ｂの第２縁部は、第１要素８ａの第１縁部に設けられた第３溝８０に実質的に一致する突出要素７１を有し得る。突出要素７１は第１鉛直方向Ｖ１において上方に突出し得るとともに、溝８０は第２鉛直方向Ｖ２において下方に開放し得る。第１及び第２水平方向Ｈ１、Ｈ２において延在する第３スペース７５が、突出要素７３と第３溝８０との間に設けられ得る。第３スペース７５は、角度移動による係止を容易にし得る。
【００２９】
第２要素８ｂは、突出要素７１と第１凸部溝５０との間に延在するストリップ７０を有している。ストリップ７０は、突出要素７１に隣接する凹部９０を有し得る。凹部９０は、突出要素７１に、第１要素８ａを第２要素８ｂに係止する際の可撓性を提供する。
【００３０】
ある実施形態において、第１要素８ａと第２要素８ｂとが互いに係止されているとき、間隙９２が第１の一対の係止表面８３の下方であって第２凸部７２の上方に設けられる。また、第１要素８ａと第２要素８ｂとが互いに係止されているとき、間隙９４が第１凸部６０の下方であって第２の一対の係止表面８４の上方に設けられる。
【００３１】
上述の実施形態における第１要素８ａ及び第２要素８ｂのコア材料は、ＨＤＦ、ＭＤＦ、合板、中実の木質又はパーチクルボード、プラスチックボード、又は木質繊維複合ボード等の木質繊維をベースとしたボードを備えている。
【００３２】
図２Ａ乃至２Ｂは、上述の家具パネル８の実施形態を備えた家具部品等の組立製品の実施形態を示す。図２Ａは、食器棚等の組立製品の実施形態を示す。組立製品は、外周パネル２、４、５、６により形成されたフレームと、後部家具パネル８となる第１要素８ａ及び第２要素８ｂと、を有している。組立製品は、また、仕切りパネル３を有し得る。パネル２、３、４、５、６の縁部は、図２Ａに示すように、可撓性凸部３０を備えた機械的装置で互いに係止され得る。
【００３３】
図２Ｂは、第２要素８ｂに上述の機械的係止システムで連結された第３要素８ｃを備えた実施形態を示す。この組立製品は、引き出しの形状にあり、端部パネル１及び６がそれぞれ引き出しの後端部及び前端部になっている。可撓性凸部３０を備えた機械的装置は、ツール及び／又は接着剤等の結合剤を使用することなく、組立製品の組立を容易にし得る。例えば、端部パネル６を、矢印４４の方向において移動させて部分的に組み立てられた製品に係合させることにより、可撓性凸部３０が機械的装置の他方の部品に係合して係止が実現される。組立製品のパネルは、スウェーデン特許出願番号ＳＥ１３５１０６０−７号の例えば図４Ｂ及び図５Ａに開示された実施形態にしたがって組み立てられ得る。
【００３４】
家具パネルの縁部が、外周パネルの底縁部に設けられた溝に挿入され得る。家具パネルは、好適には、可撓性凸部３０を備えた機械的装置によって、少なくとも２つの外周パネルに係止される。
【図１Ａ】
0006698024.tif 000002
【図１Ｂ】
0006698024.tif 000003
【図２Ａ】
0006698024.tif 000004
【図２Ｂ】
0006698024.tif 000005